(57)【要約】      （修正有）【課題】電子閃光装置においては、装着するカメラとのグランドのレベルを共通にするためにグランド接点による導通が行われている。従来の電子閃光装置におけるグランド接点のカメラ側導通部は他のデータ等を交信する接点と付勢方向が異なるため、グランド接点を他の接点のようにシューへの付勢力で組み立てることができず、組立てにおいて半田づけを必要としていた。【解決手段】グランド接点におけるシュー基板側導通部にシュー基板へ付勢させるための構造を採用した。【選択図】図１
2009058819.tif 000002
【特許請求の範囲】
【請求項１】
カメラ側とデータ等の情報を交信する端子と、カメラ側のアクセサリシュー内側に圧接するグランド接点とを有し、カメラ側のアクセサリシューに電子閃光装置側のシューを嵌入することにより装着する電子閃光装置において、該グランド接点のシュー基板側導通部をシュー基板へ圧接可能な形状に塑性加工したことを特徴とする電子閃光装置。
【発明の詳細な説明】
【技術分野】
【０００１】
カメラ側に設けられたアクセサリシューに装着可能で、特にカメラとのデータ等の交信を行うための端子手段を有する小型電子閃光装置に関する。
【背景技術】
【０００２】
特に一眼レフカメラにおいて、外付けの電子閃光装置等のカメラアクセサリを装着するためのアクセサリシューが設けられている。コンパクトカメラにおいても拡張性を持たせるために、一眼レフカメラと同等のアクセサリシューが設けられたものがある。また、装着する電子閃光装置においては、コンパクトカメラにも一眼レフカメラにも装着可能な共通の電子閃光装置がある。
【０００３】
しかしながら、一眼レフカメラと比較してコンパクトカメラは小型軽量である。そのため、コンパクトカメラに本来一眼レフカメラ用に設計された大型の電子閃光装置を装着すると、重量バランスが著しく悪い。従って、コンパクトカメラ用の小型電子閃光装置が望まれるのは当然である。
【０００４】
小型電子閃光装置を設計するには、一眼レフカメラ用の大型電子閃光装置の機能を小型化する必要がある。大型電子閃光装置の機能をある程度保持しつつ、小型化された設計とするためには、限られたスペースで組立てを行う上での、組立ての簡素化が必要となる。
【０００５】
図５は従来の一眼レフカメラ用の大型電子閃光装置における、電子閃光装置の接続部内部である。
【０００６】
５０１はシュー基板、５０２はグランド接点、５０３はシュー接点、５０４はシュー接点スプリング、５０５はシュー、５０６はリード線である。
【０００７】
シュー接点５０３は、シュー基板５０１により、シュー接点スプリング５０４の付勢力でシュー５０５へ付勢されている。グランド接点５０２は電子閃光装置とカメラとのグランドを共通にする役割がある。カメラ側のグランド接点はアクセサリシューの内側にあるため、電子閃光装置側のグランド接点５０２の長手方向の両側は、外側に向かって付勢力をもち、カメラのアクセサリシューの内側に圧接している。
【０００８】
上記の通り、シュー接点５０３はカメラのアクセサリシューの天頂面に付勢されているが、一方でグランド接点５０２はカメラのアクセサリシューの内側方向に付勢する必要があった。
【０００９】
従来の電子閃光装置の接続部においては、シュー接点スプリング５０４の付勢力によりシュー５０５とシュー基板５０１でシュー接点５０３を保持する。これにより、シュー接点５０３、シュー接点スプリング５０４及びシュー基板５０１の半田づけによる接続が不要なため、組立てコストを低減することができた。
【００１０】
しかしながら、グランド接点５０２はアクセサリシューの内側方向に付勢する必要があり、シュー接点５０３のシューへの圧接方向と異なる。グランド接点５０２をシュー接点５０３のようにシューで組立てるためには、グランド接点５０２の付勢力をシュー接点５０３のような付勢方向に変換する機構が必要となり組立てコスト高、組立工程の煩雑化を招くおそれがある。
【００１１】
そこで、従来の電子閃光装置の接続部におけるグランド接点５０２では図５に示すように、グランド接点５０２の一体物からシュー基板側導通部５０２ａをのばして、シュー基板５０１に設けられた穴を貫通し、電子閃光装置の本体側とリード線５０６を半田づけで接続していた。
【００１２】
この方法では、シュー基板５０１とグランド接点５０２とを半田づけで接続せずに済む。しかしながら、リード線５０６とグランド接点５０２のシュー基板側導通部５０２ａとは半田づけしなければならず、組立てコスト高、組立工程の煩雑化を招いていた。
【特許文献１】特開昭６０−２２２８３０号公報
【発明の開示】
【発明が解決しようとする課題】
【００１３】
小型電子閃光装置の構造は大型の電子閃光装置と異なり、回路配置などのスペースが限られているので、グランド接点構造の配置スペースも限られており設計自由度が低かった。
【００１４】
従来の電子閃光装置のグランド接点はデータ等を交信する他の端子手段と異なり付勢方向がカメラのアクセサリシューの内側方向にあるので、グランド接点の尖部と電子閃光装置本体とをリード線の半田づけで接続しなければならなかった。そのためスペースの限られた小型電子閃光装置内での組立ては複雑であり、組立てコスト高を招いていた。
【課題を解決するための手段】
【００１５】
本発明における電子閃光装置は、カメラ側とデータ等の情報を交信する端子と、カメラ側のアクセサリシュー内側に圧接するグランド接点とを有し、カメラ側のアクセサリシューに電子閃光装置側のシューを嵌入することにより装着する電子閃光装置において、該グランド接点のシュー基板側導通部をシュー基板へ圧接可能な形状に塑性加工したことを特徴とする電子閃光装置とした。
【発明の効果】
【００１６】
特に小型でスペースが限られている電子閃光装置の接続部においても、グランド接点の半田づけを要せず、組立てコスト効率の優れる電子閃光装置の接続部構造を得られる。
【発明を実施するための最良の形態】
【００１７】
本発明における電子閃光装置について図を用いて詳しく説明する。各図における同一の各記号はそれぞれ同一のものを示すこととする。
【００１８】
図１は本発明の電子閃光装置の接続部内部を示した図である。
【００１９】
１はシュー基板、２はグランド接点、３はシュー接点、４はシュー接点スプリング、５はシューである。
【００２０】
シュー接点３は電子閃光装置のシュー基板１により、シュー接点スプリング４の付勢力でシュー５へ付勢されている。電子閃光装置の接続部であるシュー５がカメラのアクセサリシューに装着されると、シュー接点３はシュー基板方向に更に圧縮力が加えられ、シュー接点スプリング４は更に収縮させられてカメラのアクセサリシューに対して付勢力をもつ。
【００２１】
電子閃光装置のシュー接点３は一般的にカメラと電子閃光装置との間のデータ、クロック信号、発光信号及び発光停止信号等をそれぞれ伝達している。一方、グランド接点は電子閃光装置と装着するカメラとのグランドを共通にする。
【００２２】
図２は本発明の電子閃光装置のグランド接点２を示した図である。
【００２３】
カメラ側のグランド接点は装着するアクセサリシューの内側にあるため、グランド接点２は図２に示すように外側に付勢力を有する構造の導電体となっている。２ａはシュー基板側導通部、２ｂはカメラ側導通部である。シュー基板側導通部２ａは図１で示したシュー基板へ付勢力をもつように塑性加工されていて、シュー基板上のグランド接点に圧接する構造になっている。カメラ側導通部２ｂは従来通りカメラ側のアクセサリシューの内側に圧接する構造になっている。
【００２４】
図３は本発明の電子閃光装置の接続部外部を示した図である。
【００２５】
電子閃光装置接続部をカメラのアクセサリシューに嵌入させるときに、グランド接点のカメラ側導通部２ｂはカメラのアクセサリシューの内側に圧接するように嵌入するため、電子閃光装置の接続部外側面から突出している。
【００２６】
図４は本発明の電子閃光装置の接続部内部断面構造を示した図である。
【００２７】
シュー接点３はシュー基板１によりシュー接点スプリング４でシューへ付勢されている。また、シュー接点３をカメラのアクセサリシュー７の天頂面に向かってシューから突出している。電子閃光装置のシューがカメラ側のアクセサリシュー７に嵌入すると、押し戻されたシュー接点３はシュー接点スプリング４を収縮する。シュー接点スプリング４は収縮することで弾性力を強め、シュー接点３をカメラ側接点８に圧接させ、電子閃光装置のカメラへの装着を強固にする。
【００２８】
同様にグランド接点２において、シュー基板側導通部２ａはシュー基板１へ圧接し、同時にカメラ側導通部２ｂはアクセサリシュー７の内側へ圧接する。これによりさらに電子閃光装置のカメラへの装着を強固にする。
【００２９】
以上の説明により、本発明における電子閃光装置のグランド接点の構造は、シュー基板側導通部とカメラ側導通部との付勢力方向が対向せずにほぼ垂直に異なっていたとしても、シュー基板側及びカメラ側へともに付勢力を与えることができる。これにより従来のようにシュー基板側導通部に半田づけをすることなく、付勢力による圧接のみでグランド接点とシュー基板とのグランド接続が可能となる。従って、半田づけ作業による組立てコストを低減し、電子閃光装置においても接続部を小型化する効果がある。
【図面の簡単な説明】
【００３０】
【図１】本発明の電子閃光装置の接続部内部を示した図である。
【図２】本発明の電子閃光装置のグランド接点を示した図である。
【図３】本発明の電子閃光装置の接続部外部を示した図である。
【図４】本発明の電子閃光装置の接続部内部断面構造を示した図である。
【図５】従来の一眼レフカメラ用の大型電子閃光装置における、電子閃光装置の接続部内部である。
【符号の説明】
【００３１】
１    シュー基板
２    グランド接点
２ａ  シュー基板側導通部
２ｂ  カメラ側導通部
３    シュー接点
４    シュー接点スプリング
５    シュー
７    アクセサリシュー
８    カメラ側接点
【図１】
2009058819.tif 000003
【図２】
2009058819.tif 000004
【図３】
2009058819.tif 000005
【図４】
2009058819.tif 000006
【図５】
2009058819.tif 000007